(57)【要約】【課題】  通信端末１が第１又は第２系の無線装置を選択的に切替えて通信する場合の系切替動作は、インターフェース１及び１１ｂ間の同期確立が完了した後に、切替える無線装置の通信状態を入手して通信端末１に伝達するので、通信端末１が切替えられた無線装置で通信を開始するまでに時間を要していた。【解決手段】  系切替開始により、インターフェース１及び１１ｂ間で同期を確立行なうのと平行して切替える無線装置の通信状態を入手するようにしたことにより、同期確立完了後、直ちに通信状態を通信端末１に伝達することができる。【選択図】          図２
2006135646.tif 000002
【特許請求の範囲】
【請求項１】
インターフェース部とＣＰＵとを有し、第１エリアをカバーする第１基地局と無線通信可能であり、上記第１エリア内の移動機と通信する第１系無線装置、インターフェース部とＣＰＵとを有し、第２エリアをカバーする第２基地局と無線通信可能であり、上記第２エリア内の移動機と通信する第２系無線装置、インターフェース部とＣＰＵとを有し、第１又は第２系無線装置に択一的に切替接続され、第１又は第２基地局を介して第１又は第２エリアの移動機と通信する通信端末とを備え、上記第１又は第２系無線装置の内、上記通信端末に切替接続された当該無線装置のＣＰＵは、上記通信端末のインターフェース部と上記当該無線装置のインターフェース部との同期確立動作中に上記当該無線装置の状態情報を検出し、上記同期確立がなされたときに上記当該無線装置のインターフェース部及び上記通信端末のインターフェース部を介して上記通信端末のＣＰＵへ上記状態情報を送信することを特徴とする通信装置。
【請求項２】
インターフェース部とＣＰＵとを有し、第１エリアをカバーする第１基地局と無線通信可能であり、上記第１エリア内の移動機と通信する第１系無線装置、インターフェース部とＣＰＵとを有し、第２エリアをカバーする第２基地局と無線通信可能であり、上記第２エリア内の移動機と通信する第２系無線装置、インターフェース部とＣＰＵとを有し、第１又は第２系無線装置に択一的に切替接続され、第１又は第２基地局を介して第１又は第２エリアの移動機と通信する通信端末とを備え、上記第１又は第２系無線装置の内、上記通信端末に切替接続された当該無線装置のＣＰＵは、上記通信端末のインターフェース部と上記当該無線装置のインターフェース部との同期確立動作中に上記当該無線装置の状態情報を検出し、上記同期確立がなされる直前から上記当該無線装置のインターフェース部及び上記通信端末のインターフェース部を介して上記通信端末のＣＰＵへ上記状態情報を送信することを特徴とする通信装置。
【発明の詳細な説明】
【技術分野】
【０００１】
本発明は、第１及び第２系無線装置を切替えて異なるエリアの移動機と通信することができる通信装置に関する。
【背景技術】
【０００２】
２つの無線装置を有し、これらを切替えて通信する技術として特許文献１に記載されたものがある。しかるに、この通信装置は、一方の無線装置を現用とし、他方の通信装置を予備用として用いるものであり、２つの無線装置を切替えて用いる点では本発明に類似するが、それぞれの無線装置が異なるエリアをカバーする基地局と無線通信するものではない。
【０００３】
【特許文献１】特開平１１−３４１５４７号公報
【０００４】
本発明に係る従来の技術として、無線装置を切替える場合、まず、通信端末に切替接続される無線装置のインターフェース部と通信端末のインターフェース部が同期を確立する。その後、当該無線装置のＣＰＵが該無線装置の状態情報を検出し、該状態情報を通信端末に送信することにより、通信端末が接続された無線装置及び基地局を介して当該基地局の通信エリアに存在する移動機と通信が可能になる。
【０００５】
図４にこの種、従来の通信装置のブロック図を示す。図において、１は通信端末、２は無線装置であり、通信端末１はインタ−フェース部３と、後述する第１又は第２系無線装置を選択的に切替える系切替スイッチと、ＣＰＵ５と、動作状態を表示するＬＣＤ６と、使用者が通話するためのスピーカ及びマイク７とからなる。無線装置２は第１及び第２系の２つの無線装置からなり、制御部８ａ、８ｂと該制御部８ａ、８ｂに設けられたＣＰＵ９ａ、９ｂと、送受信部１０ａ、１０ｂと、該送受信部１０ａ、１０ｂに設けられたインターフェース部１１ａ、１１ｂ及びＣＰＵ１２ａ、１２ｂと切替スイッチ１３とからなる。そして、第１系無線装置は制御部８ａ及び送受信部１０ａで構成され、第２系無線装置は制御部８ｂ及び送受信部１０ｂで構成される。また、１４ａは第１系無線装置のアンテナ、１４ｂは第２系無線装置のアンテナである。
【０００６】
いま、通信端末１のインターフェース３が切替スイッチ１３を介して送受信部１０ａに接続されており、通信端末１が第１系無線装置を選択して通信中であるとする。この状態で通信端末１の使用者が第２系無線装置を介して通信すべく、系切替スイッチ４を操作したとすると、ＣＰＵ５がこの操作を検知して切替スイッチ１３に切替を伝達する。切替スイッチ１３はＣＰＵ５から切替の伝達を受けると、通信端末のインターフェース３との接続をインターフェース１１ａからインターフェース１１ｂに切替える。切替スイッチ１３により接続されたインターフェース３及び１１ｂはこれらの間で同期をとるために信号のやり取りを行い、同期確立するとインターフェース１１ｂがＣＰＵ１２ｂに同期確立を伝達する。
一方、制御部８ｂは送受信部１０ｂの通信状態、例えば設定チャネル情報等を監視するものであり、第１系無線装置に系切替された後にもそのときの通信状態を保持している。インターフェース３及び１１ｂ間の同期確立を伝達されたＣＰＵ１２ｂは制御部８ｂのＣＰＵ９ｂにアクセスし、通信状態を入手する。入手した通信状態はインターフェース１１ｂ及び３を介して通信端末１に伝達され、ＣＰＵ５及びＣＰＵ１２ｂ間で情報のやり取りが行なわれた後、通信端末の使用者は第２系無線装置からアンテナ１４ｂ及び図示しない基地局を介して該基地局のカバーするエリアに存在する移動機との通話が可能となる。
【発明の開示】
【発明が解決しようとする課題】
【０００７】
従来の無線装置の系切替動作を時間軸上で示したのが図５である。図に示すように従来の系切替動作では、系切替開始からインターフェース間の同期確立が完了するまでに２．５秒要し、さらに、同期確立後に通信状態を入手して通信端末１に伝達し、ＣＰＵ５及びＣＰＵ１２ｂ間で情報のやり取りが完了するまでに３秒要していた。
【０００８】
この発明は、上記のような従来の問題点に鑑みてなされたものであり、無線装置の系切替動作を迅速に行なうことのできる通信装置を得ることを目的としている。
【課題を解決するための手段】
【０００９】
本発明に係る通信装置は、インターフェース部とＣＰＵとを有し、第１エリアをカバーする第１基地局と無線通信可能であり、上記第１エリア内の移動機と通信する第１系無線装置、インターフェース部とＣＰＵとを有し、第２エリアをカバーする第２基地局と無線通信可能であり、上記第２エリア内の移動機と通信する第２系無線装置、インターフェース部とＣＰＵとを有し、第１又は第２系無線装置に択一的に切替接続され、第１又は第２基地局を介して第１又は第２エリアの移動機と通信する通信端末とを備え、上記第１又は第２系無線装置の内、上記通信端末に切替接続された当該無線装置のＣＰＵは、上記通信端末のインターフェース部と上記当該無線装置のインターフェース部との同期確立動作中に上記当該無線装置の状態情報を検出し、上記同期確立がなされたときに上記当該無線装置のインターフェース部及び上記通信端末のインターフェース部を介して上記通信端末のＣＰＵへ上記状態情報を送信するように構成したものである。
【発明の効果】
【００１０】
本発明によれば、通信端末のインターフェース部と切替えられる無線装置のインターフェース部との同期確立動作中に上記無線装置の状態情報を検出し、同期確立がなされたときに上記無線装置のインターフェース部及び上記通信端末のインターフェース部を介して上記通信端末のＣＰＵへ上記状態情報を送信するようにしたので、無線装置の系切替動作を迅速に行なうことができる。
【発明を実施するための最良の形態】
【００１１】
以下、本発明の実施の形態を図に基づいて説明するが、まず、本発明に係る通信装置が適用されるシステム全体について、図１により概略説明する。即ち、通信端末１は切替スイッチＳＷにより第１又は第２系無線装置に選択的に接続されるものであり、第１系無線装置は基地局１５ａを介して基地局１５ａのエリアに存在する１又は複数の移動局１６ａと通信する。一方、第２系無線装置は基地局１５ｂを介して基地局１５ｂのエリアに存在する１又は複数の移動局１６ｂと通信する。
【００１２】
つまり、通信端末１は第１系無線装置を選択することにより、基地局１５ａのエリアに存在する移動局１６ａと通話が可能であり、第２系無線装置を選択することにより、基地局１５ｂのエリアに存在する移動局１６ｂと通話が可能である。この場合、例えば通信端末１が基地局１５ａのエリアの移動機１６ａに通話音声を送信する場合、基地局１５ａはエリア内の全ての移動局１６ａに送信し、全ての移動局１６ａで音声出力される。一方、基地局１５ａのエリア内の任意の一つの移動機１６ａが通信端末１の使用者へ音声出力するときには、移動機１６ａは通信端末１に対して通話音声送信の許可を伝達し、送信の許可が得られた後に通話音声を送信する。このとき、他の移動機には通話音声は伝達されない。
【００１３】
さて、このようなシステムに適用される本発明に係る通信装置を図２に示す。図２は本発明の実施の形態に係る通信装置のブロック図であり、通信端末１の系切替スイッチ４は系切替をＣＰＵ５に伝達するとともに、制御部８ａ、８ｂのＣＰＵ９ａ、９ｂにも伝達する。また、制御部８ａ、８ｂには接断スイッチ１７ａ、１７ｂが設けられており、通信端末１のインターフェース３と送受信部１０ａ又は１０ｂのインターフェース１１ａ又は１１ｂとの接断する。
【００１４】
いま、通信端末１の使用者が第１系無線装置を選択して通信中のとき、切断スイッチ１７ａはインターフェース３及び１１ａ間を接続して通話を可能にしており、切断スイッチ１７ｂはインターフェース３及び１１ｂ間を切断している。
【００１５】
この状態で使用者が系切替スイッチ４を操作して第２系無線装置に切替えたとすると、その切替操作が系切替スイッチ４から制御部８ａ、８ｂのＣＰＵ９ａ、９ｂに伝達される。切替操作を伝達されたＣＰＵ９ａは接断スイッチ１７ａを切断してインターフェース３及び１１ａ間の接続を断ち、ＣＰＵ９ｂは接断スイッチ１７ａを閉じてインターフェース３及び１１ｂ間を接続する。これにより、従来と同様にインターフェース３及び１１ｂ間の同期確立動作を実行する。また、これと同時にＣＰＵ９ｂは送受信部１０ｂのＣＰＵ１２ｂに送受信部１０ｂの通信状態をＣＰＵ１２ｂへ伝達する。ＣＰＵ１２ｂが通信状態を入手するのに要する時間は、通常インターフェース３及び１１ｂ間の同期が確立する時間より短い。従って、ＣＰＵ１２ｂはインターフェース１１ｂから同期確立の伝達があると同時に通信状態を通信端末１のＣＰＵ５に伝達することができ、無線装置の系切替動作を迅速に行なうことができる。
【００１６】
なお、上記実施の形態では、ＣＰＵ１２ｂはインターフェース１１ｂから同期確立の伝達があるまで、通信状態をＣＰＵ５に伝達するのを待っているが、一般に、インターフェース１１ｂから同期確立の伝達があるのは、すでに同期確立していても安定化するまで待って伝達するようになっている。従って、ＣＰＵ１２ｂはインターフェース１１ｂから同期確立の伝達がない状態でＣＰＵ５に向けて通信状態を伝達する動作を繰り返すと一層迅速に系切替動作を行なうことができる。この場合の系切替動作を時間軸上で示したのが図３である。図３における通信準備の時間がＣＰＵ１２ｂが通信状態を入手するのに要する時間である。
【図面の簡単な説明】
【００１７】
【図１】本発明の通信装置が適用されるシステム全体を示した概念図である。
【図２】本発明の実施の形態に係る通信装置を示したブロック図である。
【図３】本発明の実施の形態に係る通信装置における系切替動作を時間軸上で示した図である。
【図４】従来の通信装置を示したブロック図である。
【図５】従来の通信装置における系切替動作を時間軸上で示した図である。
【符号の説明】
【００１８】
１  通信端末    ２  無線装置    ３  インターフェース    ４  系切替スイッチ    ８ａ、８ｂ  制御装置    １０ａ、１０ｂ  送受信部    １７ａ、１７ｂ  接断スイッチ。
【図１】
2006135646.tif 000003
【図２】
2006135646.tif 000004
【図３】
2006135646.tif 000005
【図４】
2006135646.tif 000006
【図５】
2006135646.tif 000007